Podtech/llm-jp-corpus-v4-ja_patent huggingface dataset:
(57)【特許請求の範囲】
【請求項１】
地盤を柱状に掘削し、セメントミルクと掘削土砂とを攪拌してソイルセメントの柱状体を造成し、前記ソイルセメントが硬化しないうちにその中へ芯材として既製杭を建て込んでなる合成摩擦杭の造成方法において、前記既製杭の直径が前記柱状体の直径に対して１〜２倍であり、前記柱状体をこの既製杭の全周断面をカバーするように互いに接続させて複数個造成することを特徴とする合成摩擦杭の造成方法。
【請求項２】
前記既製杭が鋼管である請求項１に記載の合成摩擦杭の造成方法。
【発明の詳細な説明】
【技術分野】
【０００１】
本発明は、建屋等の構造物を支持する基礎部分に使用されるソイルセメントの柱状改良体と既製杭の芯材とからなる合成摩擦杭に関する。
【背景技術】
【０００２】
構造物を支持する基礎部分には、一般に杭基礎が用いられるが、良質の支持層がかなり深いところにあり、支持杭を根入れさせるのは不経済である場合に、周面摩擦によって荷重を支持する摩擦杭が使用される。
特許文献１には、杭径よりも若干大きめの孔を掘削し、掘削土砂とセメントミルクを攪拌混合し、造成されたソイルセメントの柱状体が硬化する前にその中に鋼管やコンクリート杭等の既製杭を建て込む合成摩擦杭の造成方法が記載されている。
【０００３】
図２において、１は地盤Ｇを柱状に掘削した掘削孔、３はその掘削孔内に造成されたソイルセメント柱状体、２はソイルセメント柱状体３の中に建て込まれた鋼管、Ｄはソイルセメント柱状体３の径、Ｌは長さ、ｆは周面摩擦力である。
しかしこのような合成摩擦杭は、一般に１個の掘削孔に１本の既製杭を建て込むことを前提としているから、柱状体内に貫入させようとする杭が大径であると掘削孔も大径となり、施工には大型機械が必要となる。
【特許文献１】特開昭６２−２６８４２２号公報
【発明の開示】
【発明が解決しようとする課題】
【０００４】
本発明は、大型機械を使用することなく、大径の合成摩擦杭を造成することを目的とする。
【課題を解決するための手段】
【０００５】
本発明は、地盤を柱状に掘削し、セメントミルクと掘削土砂とを攪拌してソイルセメントの柱状体を造成し、前記ソイルセメントが硬化しないうちにその中へ芯材として既製杭を建て込んでなる合成摩擦杭の造成方法において、前記既製杭の直径が前記柱状体の直径に対して１〜２倍であり、前記柱状体をこの既製杭の全周断面をカバーするように互いに接続させて複数個造成することを特徴とする合成摩擦杭の造成方法である。
【発明の効果】
【０００６】
本発明によれば、小型機械のみで大径杭による合成摩擦杭を造成することができるという、すぐれた効果を奏する。
【発明を実施するための最良の形態】
【０００７】
本発明においては、貫入させようとする大径杭の全周断面をカバーするように、水平投影面の必要部分のみを掘削するので、一回の掘削面積は小さく、小型機械のみで施工が可能である。なお、掘削にあたっては掘削位置が動かないよう、固定翼を有する掘削ヘッドを使用することが望ましい。大径の既製杭を建て込む際には大径の把持具が必要ではあるが、特に大径に対応する力は必要ではないから、小型機械でそのまま施工できる。
【０００８】
図１は本発明における施工状況を示す平面図で、１ａ〜１ｆは掘削孔、２は既製杭である。個々の掘削孔の径をたとえば１ｍとして、（ａ）の例では３個の掘削孔１ａ〜１ｃにより１ｍ径の既製杭２を建て込むことができる。（ｂ）では４個の掘削孔１ａ〜１ｄで1200ｍｍ径の杭が、また（ｃ）の例では6個の掘削孔１ａ〜１ｆによって２ｍ径の既製杭を建て込むことができる。なお、（ｂ）、（ｃ）の例に見られるように、既製杭が実際には貫入しない中央部分などは、掘削しないで残してもかまわない。
【０００９】
なお、芯材の既製杭としては、鋼管杭、あるいは高強度プレストレストコンクリート杭（ＰＨＣ杭）、外殻鋼管付きコンクリート杭（ＳＣ杭）、節杭等の既製コンクリート杭などを用いることができるが、高い水平耐力と経済性とを両立させるという観点から、鋼管杭を用いることがもっとも望ましい。
【図面の簡単な説明】
【００１０】
【図１】本発明における施工状況を示す平面図である。
【図２】従来の技術における合成摩擦杭の説明図である。
【符号の説明】
【００１１】
１、１ａ〜１ｆ    掘削孔
２    既製杭（芯材、大径杭）
３    ソイルセメント柱状体
Ｇ    地盤
【図１】
0005136270.tif 000002
【図２】
0005136270.tif 000003
(57)【特許請求の範囲】
【請求項１】
Ｌ字型財布の本体内側の片面上部に深さが本体より浅い硬貨用ポケットを設けて片側の上部を全て本体に取り付け、さらにポケットの対面側を本体対面側かつＬ字開口部上部のファスナー終末部分周辺に取り付けることにより、本体の開口に合わせて硬貨用ポケットが開く状態を作り出すことを特徴とする、Ｌ字型財布の構造。
【発明の詳細な説明】
【技術分野】
【０００１】  この発明は、Ｌ字型財布の札入れ部分、硬貨入れ部分の構造に関する。
【背景技術】
【０００２】  従来のＬ字型財布の構造は図２に示すように、本体１の縁にＬ字状にファスナー３が取り付けられ、ファスナー３を開けた内側全体が札入れとなっている。また本体１の内部または外側に深さが本体１と同等かそれよりも浅く、上部にファスナーやカブセが設けられた平面状のポケットを設けることで、硬貨を収納するものである。
【先行技術文献】
【特許文献】
【０００３】
【特許文献１】特許公開平１０−２１５９２８小銭入れ及び札入れ
【発明の概要】
【発明が解決しようとする課題】
【０００４】  しかしながら、以上の技術によれば、紙幣を取り出すためにＬ字状のファスナーを開ける作業に加え、硬貨用ポケットの上部を開口する作業も行う必要があるため手間がかかるという課題があった。また、硬貨用ポケットが本体の外側にある場合は、硬貨用ポケット分嵩張り、一方、硬貨用ポケットが本体の内側にある場合は、Ｌ字状に開く本体の中で、硬貨用ポケットの奥行きが少ないため、硬貨を速やかに選別し、取り出すことが困難であり、手間がかかるという課題がある。
【課題を解決するための手段】
【０００５】  以上の課題を解決するために、本発明は、本体内側の片面上部に深さが本体より浅い硬貨用ポケットを設けて片側の上部を全て本体に取り付け、さらに硬貨用ポケットの対面側を本体対面側かつＬ字開口部上部のファスナー終末部分周辺に取り付けることにより、本体の開口に合わせて硬貨用ポケットが開く状態を作り出すことを特徴とする、Ｌ字型財布の構造である。
【発明の効果】
【０００６】  本発明によれば、Ｌ字状のファスナーを開く作業のみで、紙幣と硬貨それぞれにアクセス可能であり、従来技術のように、本体開口後さらに硬貨用ポケットを開口するという作業を行わなくて済む。また、硬貨用ポケットの一部を本体内側対面上部の終末部分周辺に取り付けることで、Ｌ字ファスナー開口時に、本体の開口に合わせて硬貨用ポケットの一端が大きく開くため、硬貨の選別、取り扱いが行いやすい。また同時に、Ｌ字ファスナー開口部方向に対して本体が開くため、紙幣も取り出しやすく、紙幣、硬貨ともに取り扱いが向上する。さらに、硬貨用ポケットの口が本体内側の上部に位置することで、ファスナー閉口時にはポケット上部はファスナーにより押さえられ、硬貨が紙幣側に移動することがないため、硬貨と紙幣をしっかり区別して収納できる。
また硬貨用ポケットが本体内部にあるため外側が硬貨入れによって嵩張ることがない。
【図面の簡単な説明】
【０００７】
【図１】本発明の一実施形態を示す斜視図である。
【図２】従来技術を示す斜視図である。
【発明を実施するための形態】
【０００８】  この発明の一実施形態を、図１に示す。Ｌ字状にファスナー３が取り付けられた本体１内側の片面上部に深さが本体の半分程度の硬貨用ポケット２を設け、片側の上部を全て本体と縫い付ける。さらに硬貨用ポケット２の対面側を本体対面側かつＬ字開口部上部のファスナー終末部分周辺４に縫い付けることで取り付けられている。
本体１、硬貨用ポケット２はそれぞれ皮革素材である。
【０００９】「実施形態の効果」
この実施形態によれば、Ｌ字状のファスナー３を開く作業のみで、紙幣と硬貨それぞれにアクセス可能であり、従来技術のように、本体開口後さらに硬貨用ポケットを開口するという作業を行わなくて済む。また、Ｌ字ファスナー３開口時に、本体１の開口に合わせて硬貨用ポケット２の一端が大きく開くため、硬貨の選別、取り扱いが行いやすい。また硬貨用ポケット２の深さを本体１の半分程度の深さとすることで、硬貨が指で選別、掬い上げ安くなっている。また同時に、Ｌ字ファスナー３開口部方向に対して本体１が開くため、紙幣も取り出しやすく、紙幣、硬貨ともに取り扱いが向上する。さらに、硬貨用ポケット２の口が本体１内側の上部に位置することで、ファスナー３閉口時には硬貨用ポケット２上部はファスナー３により押さえられ、硬貨が紙幣側に移動することがないため、硬貨と紙幣をしっかり区別して収納できる。また、硬貨用ポケット２が本体１内部にあるため外側が硬貨入れによって嵩張ることがない。
「他の実施形態」
Ｌ字状ファスナー３開口時に、本体１の開口に合わせて硬貨用ポケット２の一端が大きく開く状態を、開口後、希望に合わせて、維持したり取り止めたりするために、硬貨用ポケット２の本体対面側かつＬ字開口部上部のファスナー終末部分周辺４への取り付けを縫い付けではなく、マグネットやホック、マジックテープ等により実現してもよい。また本体１、硬貨用ポケット２の素材はナイロンや布地であっても良い。
【符号の説明】
【００１０】１  本体                        ２  硬貨用ポケット
３  ファスナー
４  本体対面側かつＬ字開口部上部のファスナー終末部分周辺
Ｍ  紙幣                        Ｃ  硬貨
【図１】
0005234376.tif 000002
【図２】
0005234376.tif 000003
(57)【特許請求の範囲】
【請求項１】
二つ折りタイプの財布の隠しポケット部分に挟み込める大きさに形成されたプレート部材に核カード部材を財布の隠しポケットに挟み込んだ時、市販のウオレットチェーンのナス環が掛着できるように形成された留め具を備えた突片を財布の外に突出するように延設したことを特徴とするウオレットチェーン取り付け具
【発明の詳細な説明】
【技術分野】
【０００１】  本考案は二つ折りタイプの財布に穴を関ける等の細工をする事なく財布と同化した革製の突出を付けその先端にナス冠取り付け部のＤ環、金輪、もしくは穴を設ける事によってナス環掛着部分を財布の外に突出させ、突出部分が革製の為、突出部分が前後自由に首を振る事が出来、財布や衣服を傷をつけず、又財布の使用にも支障が無い様々な工夫がされた市販のウオレットチェーンを簡単に着脱することが出来るＤ環、金輪、もしくは穴付き突片部分のついた財布に変える事が出来る、取り付け具に関するものである。
【背景技術】
【０００２】従来、財布本体に穴を開ける等の細工をしてそこにウオレットチェーンを接続出来る様にしてあるものが売られており盗難防止や若者のファッションとして利用されていた。又、盗難防止具として直接チェーンのついたカード状のものを財布に差し入れて使用するものが実用新案登録されている（特許文献１）。
【特許文献１】実登  ３０７４０５８
【発明の開示】
【発明が解決しようとする課題】
【０００３】そのために次のような問題があった
（イ）    穴を開ける等の細工をして売られている財布は種類、デザインが限られ好みの物を見つけづらかった。
（ロ）    高級財布、ブランド財布、お気に入りの財布にウオレットチェーンをつけるには穴を開ける等の加工をしなければならないが心情的に財布にキズをつけることが出来づらかった。
（ハ）    財布に差し込むチェーンつきのカードでは好みのウオレットチェーンがつけられず又チェーンの取り付け部分とチェーンが財布の中に入り込むために財布にキズが付く恐れがあった。
本考案は以上の問題点を解決するためになされたものである。
【課題を解決するための手段】
【０００４】様々なタイプの財布の隠しポケット部分や財布の持つ隙間や穴等に挟み込めるサイズの革製長方四角形カードに革製長方四角形カード状のものより突出した部分を設け、その先端にＤ環、金輪、もしくは穴を設け隠しポケット等に差込み財布と同化させ、市販のウォレットチェーンのフックが掛着できることを特徴とするウォレットチェーン取り付け具である。
【発明の効果】
【０００５】財布にキズを付けることなく財布とウオレットチェーンを簡単に着脱することが出来、盗難予防と共にファッションとして利用することが出来る。
【発明を実施するための最良の形態】
【０００６】以下、本発明の実施の形態を説明する。
（イ）    皮製で方形状カード部材（１）の四角の一箇所に取付孔（３）を穿設した突片（２）を延設する。
（ロ）    カード部材は市販の財布（６）の内ポケット（７）に対応した大きさに形成する。
本発明は以上のような構造で、使用するときには、財布（６）の内ポケット（７）にこれを差し入れる
すると財布（６）からメス取付孔（３）を穿設した突片（２）が飛び出る構造になるのでそこに好みのフック（４）のついたチェーン（５）を取り付けて防犯やファッションウオレットチェーンつき財布として使用する。【０００７】また図に示すように取付孔をＤ型環（８）に変えて取り付けることもできる。
尚、ウオレットチェーンとは財布と着衣を繋ぐチェーンの事である。
【図面の簡単な説明】
【０００９】
【図１】本考案の平面図
【図２】フルラウンドジッパータイプ財布のジャバラ下部から本考案が突出し、財布ジッパーを閉めてた状態の図
【図３】財布のジャバラ下部に在る平たい隙間が本考案を差込む事により立て三角状に折り畳まれた図
【図４】財布折り曲げ部分に空洞のある財布に革製の本考案を丸めて差し入れてる図
【図５】本考案の側面図
【図６】本考案をマルチパーパスタイプ財布が持つ、空洞、ジャバラ下部、隠しポケットの３箇所に着装の見本として装着した図
【図７】本考案突出部分が二つ折り財布の折り曲げ部分に定着し、本考案の突出た部分が財布本体より飛び出ている図
【符号の説明】
【００１０】        １  カード部材
２  突片
３  取付孔
４  フック
５  チェーン
６  財布
７  内ポケット
８  Ｄ型環
【図１】
0005333809.tif 000002
【図２】
0005333809.tif 000003
【図３】
0005333809.tif 000004
【図４】
0005333809.tif 000005
【図５】
0005333809.tif 000006
【図６】
0005333809.tif 000007
【図７】
0005333809.tif 000008